(57)【要約】【課題】機能部材を靴下に容易に収納することができ、且つ、靴下の着用中に機能部材が脱落するおそれがなく、さらに、着用者が着用時に感じる違和感の少ない靴下を提供する。【解決手段】靴下は、機能部材を装着して用いられる靴下であって、靴下本体部と、靴下本体部の内部に設けられた二重底部とを備え、二重底部は、周縁部の一部において靴下本体部の足底部と一体化され、周縁部のうち、足底部と一体化されていない部分に、二重底部と足底部との間の空間に対して機能部材を挿抜するための開口部が設けられている。【選択図】図２
2018044267.tif 000002
【特許請求の範囲】
【請求項１】
機能部材を装着して用いられる靴下であって、
靴下本体部と、
前記靴下本体部の内部に設けられた二重底部と、
を備え、
前記二重底部は、周縁部の一部において前記靴下本体部の足底部と一体化され、
前記周縁部のうち、前記足底部と一体化されていない部分に、前記二重底部と前記足底部との間の空間に対して前記機能部材を挿抜するための開口部が設けられている、靴下。
【請求項２】
前記開口部は、前記周縁部のうち、当該靴下の側方に設けられている、請求項１に記載の靴下。
【請求項３】
前記靴下本体部の少なくとも一部と前記二重底部の少なくとも一部とは、連続する糸によって編成されている、請求項１又は２に記載の靴下。
【請求項４】
前記二重底部は、ホールガーメント（登録商標）製法により前記靴下本体部と一体的に編成されている、請求項３に記載の靴下。
【請求項５】
前記二重底部に、前記機能部材を収納する向きを示すマークが付されている、請求項１〜４のいずれか１項に記載の靴下。
【発明の詳細な説明】
【技術分野】
【０００１】
本発明は、靴下の構造に関する。
【背景技術】
【０００２】
近年の健康志向の高まりとともに、足の健康が注目されている。例えば、特定の機能を有する中敷（インソール）やクッション等の部材（以下、機能部材という）を靴や靴下に装着する技術が提案されている（例えば特許文献１〜６参照）。
【０００３】
しかし、例えば特許文献１のように、靴に機能部材を装着する場合、住居場所等においてユーザが靴を脱いでしまうと、ユーザはその機能部材の作用を得ることができない。この点、特許文献２〜６においては、靴下に収納部を設け、この収納部に機能部材を収納することにより、機能部材を靴下に装着するため、靴を履いた状態であっても脱いだ状態であっても、ユーザは、靴下に装着された機能部材の作用を得ることができる。
【先行技術文献】
【特許文献】
【０００４】
【特許文献１】特開２００６−５４９号公報
【特許文献２】実開昭５７−９７５２２号公報
【特許文献３】実用新案登録第３１０１３７０号公報
【特許文献４】特開２００１−１９２９０２号公報
【特許文献５】実開平５−１０４０３号公報
【特許文献６】特許５３６９３２８号公報
【発明の概要】
【発明が解決しようとする課題】
【０００５】
例えば特許文献２のように、靴下の底部の側方に収納部の開口部を設ける場合、機能部材の大きさに対して開口部が小さいと、機能部材を収納することが非常に難しい。特に中敷のように、ある程度の硬さのある機能部材を収納する場合には、機能部材を容易に出し入れできる程度の開口部の幅が必要になる。その一方で、開口部の幅が広いと、ユーザが靴下を着用している間に機能部材が脱落してしまうおそれが生じる。また、開口部が表側に露出しているので、靴を脱いだときに開口部や収納部内に収納された機能部材が見えてしまうおそれがある。
【０００６】
これに対し、特許文献３においては、面ファスナーによって収納部の開口を閉じている。この場合、床を踏んだときに足裏に感じる面ファスナーの感触に、ユーザが違和感を覚える可能性がある。
【０００７】
また、特許文献４においては、機能部材（衝撃吸収性シート）を収納した状態で収納部の開口部を縫着により閉じている。この場合、収納部から機能部材を取り出したいときに簡単には取り出せなくなってしまうので、靴下を洗濯等する場合には不便である。
【０００８】
特許文献５においては、靴下（ストッキング）の底布の上面にポケット布を２重に設け、ポケット布側にスリット又は開口部を形成し、このスリット又は開口部から機能部材（健康サンダルの足裏部）を出し入れすることとしている。この場合、機能部材を靴下に装着する際には、靴下の筒状部（くるぶしよりも上の部分）をたぐるようにして底部のスリット又は開口部を露出させ、部材を収納部に収納しなくてはならないため、非常に面倒でやりにくい。また、靴下を着用すると、スリット又は開口部がユーザの足裏に接触するため、足裏が敏感なユーザの場合、違和感を覚える可能性がある。
【０００９】
特許文献６においては、靴下の内側底部に布地を縫い付けて二重底にすることによりポケットを形成している。この場合においても、ポケットの開口部分がユーザの足裏に当たり、違和感を覚える可能性がある。
【００１０】
本発明は上記に鑑みてなされたものであり、機能部材を靴下に容易に収納することができ、且つ、靴下の着用中に機能部材が脱落するおそれがなく、さらに、着用者が着用時に感じる違和感の少ない靴下を提供することを目的とする。
【課題を解決するための手段】
【００１１】
上記課題を解決するために、本発明の一態様である靴下は、機能部材を装着して用いられる靴下であって、靴下本体部と、前記靴下本体部の内部に設けられた二重底部と、を備え、前記二重底部は、周縁部の一部において前記靴下本体部の足底部と一体化され、前記周縁部のうち、前記足底部と一体化されていない部分に、前記二重底部と前記足底部との間の空間に対して前記機能部材を挿抜するための開口部が設けられているものである。
【００１２】
上記靴下において、前記開口部は、前記周縁部のうち、当該靴下の側方に設けられていても良い。
【００１３】
上記靴下において、前記靴下本体部の少なくとも一部と前記二重底部の少なくとも一部とは、連続する糸によって編成されていても良い。
【００１４】
上記靴下において、前記二重底部は、ホールガーメント（登録商標）製法により前記靴下本体部と一体的に編成されていても良い。
【００１５】
上記靴下において、前記二重底部に、前記機能部材を収納する向きを示すマークが付されていても良い。
【発明の効果】
【００１６】
本発明によれば、靴下本体部の内部に、周縁部の一部において靴下本体部の足底部と一体化された二重底部を設け、該周縁部のうち、足底部と一体化されていない部分に、二重底部と足底部との間に機能部材を挿抜するための開口部を設けるので、機能部材を靴下に容易に収納することができ、且つ、靴下の着用中に機能部材が脱落するおそれがなく、さらに、着用者が着用時に感じる違和感を従来よりも低減することが可能となる。
【図面の簡単な説明】
【００１７】
【図１】本発明の実施形態に係る靴下を側方から見た平面図である。
【図２】図１に示す靴下を中表にした状態を示す平面図である。
【図３】図１に示す靴下を足底側から見た平面図である。
【図４】図３に示す靴下を中表にした状態を示す平面図である。
【図５】本発明の実施形態に係る靴下の使用方法を説明するための模式図である。
【図６】本発明の実施形態に係る靴下にインソールを装着した状態を示す模式図である。
【発明を実施するための形態】
【００１８】
以下、本発明の実施の形態に係る靴下について、図面を参照しながら説明する。なお、以下の実施形態によって本発明が限定されるものではない。また、各図面の記載において、同一部分には同一の符号を付して示している。以下の説明において参照する図面は、本発明の内容を理解し得る程度に形状、大きさ、比率、及び位置関係を概略的に示しているに過ぎない。即ち、本発明は各図で例示された形状、大きさ、比率、及び位置関係のみに限定されるものではない。
【００１９】
図１は、本発明の実施形態に係る靴下を側方から見た平面図である。図２は、図１に示す靴下を中表にした状態を示す模式図である。図３は、図１に示す靴下を足底側から見た平面図である。図４は、図３に示す靴下を中表にした状態を示す平面図である。図１〜図４に示すように、本実施形態に係る靴下１は、綿、ウール、シルク、ナイロンやウレタン等の合成繊維などの繊維を材料として、編み機等によって編成することにより作製されたニットであり、インソール等の機能部材を収納して使用するためのものである。
【００２０】
靴下１は、靴下本体部１０と、該靴下本体部１０の内部に設けられた二重底部２０とを備える。このうち、靴下本体部１０は、着用者の足裏と当接する足底部１１と、着用者の足の甲を覆う甲部１２と、着用者のくるぶしから上方の脚部を覆うレッグ部１３と、足底部１１とレッグ部１３とを接続する踵上部１４とを備える。足底部１１のうちの踵領域１５は、人の足の踵形状に合わせて、端部の形状が湾曲又は台形状になるように形成されている。
【００２１】
ここで、図１〜図４に示す靴下１は、右足用として作製されたものである。そのため、つま先領域１６は、人の足のつま先形状に合わせて、小趾（第五趾）側１ｂに比べて母趾（第一趾）側１ａが長くなるように形成されている。もっとも、ニットである靴下１は伸縮性があるので、必ずしも母趾側１ａを長くする必要はない。例えば、上方から見た場合に、靴下１のつま先の形状をフラットにしても良いし、左右対称となるように湾曲させても良い。以下においては、右足用の靴下１を例に説明するが、左足用の靴下は、図１〜図４に示す靴下１に対して左右が鏡面対称となる点を除けば、靴下１と同じ構造を有する。
【００２２】
二重底部２０は、足底部１１とほぼ同じ形状及び大きさを有しており、周縁部２１のうち一部を除く領域において足底部１１と一体化されている。また、周縁部２１のうち、足底部１１と一体化されていない領域は、機能部材の挿抜が可能な開口部２２となっている。この二重底部２０と足底部１１との間の空間が、機能部材を収納するための収納部２３であり、開口部２２が機能部材の出入り口となる。
【００２３】
開口部２２を設ける位置や範囲は特に限定されない。例えば、図４に示すように、周縁部２１のうちの土踏まず側（母趾側１ａの側方）に設けても良いし、土踏まずの反対側（小趾側１ｂの側方）に設けても良い。また、周縁部２１のうちの踵側に設けても良いし、つま先側に設けても良い。好ましくは、周縁部２１のうち、略直線状の領域又は二重底部２０の内側に向かって凸状の領域に開口部２２を設けると良い。仮に、二重底部２０の外側に向かって凸状に大きく湾曲する領域に開口部２２を設けると、二重底部２０がめくれてしまうおそれがあるからである。
【００２４】
開口部２２の幅は、収納部２３に収納する機能部材の厚さや柔軟性、或いは、編成方法に応じた二重底部２０の伸縮性等によって適宜決定すれば良い。例えば、機能部材が比較的柔軟で容易に大きく変形させることができる場合、図４に示すように、二重底部２０の側方の一部を開口させて開口部２２とすれば良い。反対に、機能部材を変形させることがそれほど容易ではない場合、開口部２２の幅をさらに広げるか、又は、伸縮幅が大きい編成方法によって開口部２２を編成方法すると良い。
【００２５】
二重底部２０の上面（着用時に着用者の足裏に当接する面）には、収納部２３に収納する機能部材の向きを示すマーク２４を付しても良い。図４においては、マーク２４として、靴下１が右足用であることを示すアルファベット「Ｒ」を表示しているが、この他、マーク２４として、「右」、「みぎ」、「母趾側」、「小趾側」、「足裏側」といった文字や図形等を表示しても良い。また、左足用の靴下には、左を表すアルファベット「Ｌ」等の文字や図形を表示しても良い。マーク２４の位置は、二重底部２０の上面であれば、つま先の母趾側に限定せず、着用者の目に付きやすい位置であればどこでも良い。このようなマーク２４は、二重底部２０を編成する際に色の異なる糸を用いて編成すると良い。ここで、機能部材として、着用者の足型に合わせて作製したインソールを用いる場合、インソールの左右や表裏（足裏側と足底側）の向きを靴下１に正しく合わせて挿入することが重要である。しかし、図４に示すように、靴下１を中表にした状態では、靴下１の左右や、足裏側・足底側の判別が難しい。そこで、マーク２４を二重底部２０に付すことにより、着用者は、迷うことなくインソールを靴下１に装着することができる。
【００２６】
次に、靴下１の製造方法を、図２及び図４を参照しながら説明する。靴下１は、例えば、株式会社島精機製作所が開発したホールガーメント（登録商標）（ＷＨＯＬＥＧＡＲＭＥＮＴ（登録商標））と呼ばれる製法によって作製することができる。ホールガーメント（登録商標）とは、通常のニット製品であれば複数のパーツ（例えば、前身頃、後身頃、袖、ポケット等）を縫製で一体化させるところ、複数のパーツを無縫製で一体的且つ立体的に編成する技術である。この技術を本実施形態に適用する場合、足底部１１及び甲部１２からなる筒状の部分と二重底部２０とを同時に編成することができる。このとき、足底部１１（又は甲部１２）の少なくとも一部と二重底部２０の少なくとも一部とは、連続する糸によって編成され、周縁部２１には縫製部（縫い目）が形成されないので、周縁部２１においてもニットとしての伸縮性が保持され、履いた時の感触も良い靴下１を作製することができる。また、この場合、マーク２４も同時に形成することができる。
【００２７】
靴下１は、同社製のホールガーメント（登録商標）編機により次のような手順で作成することができる。なお、以下に説明する各部の編成においては、ゴム編や畦編など複数の編成方法を適宜組み合わせて行っても良い。まず、履き口（レッグ部１３の端部）側から編成を開始し、レッグ部１３を筒状に編む。続いて、甲部１２（図２参照）側の編成を休止し、踵上部１４を編成する。その後、踵上部１４から続けて、足底部１１及び二重底部２０の踵領域１５を同時に形成し、踵領域１５をポケット状にする。この際、踵領域１５の編み目の数を徐々に増やすと共に、増やした部分を踵上部１４の端部に編み込む。これにより、踵上部１４を立体的に形成することができる。
【００２８】
続いて、足底部１１及び甲部１２からなる筒状の部分を編成すると同時に、二重底部２０を、左右両端を足底部１１の両端に編み込みながら編成する。ただし、開口部２２においては、二重底部２０を足底部１１に編み込まず、端部の処理を施す。このようにして、足底部１１、甲部１２、及び、二重底部２０をつま先領域１６まで編み進め、端部を閉じる。それにより、靴下１が完成する。
【００２９】
なお、上記においては、靴下１を履き口の方から編み始める場合を説明したが、当然ながら、つま先側から編み始めても良い。また、靴下１を、従来の靴下用編み機を用いて作製することも可能である。この場合、二重底部２０を有しない通常の靴下を編成した後、別途編成した二重底部２０を周縁部２１において足底部１１に縫製することにより、両者を一体化させれば良い。
【００３０】
次に、靴下１の使用方法について説明する。図５は、靴下１の使用方法を説明するための模式図である。また、図６は、靴下１に機能部材の一例としてインソールを装着した状態を示す模式図である。
【００３１】
図５に示すように、靴下１にインソール３０を装着する際には、まず、靴下１を中表にして、二重底部２０を露出させる。この状態で、インソール３０を開口部２２から収納部２３に挿入する。このとき、インソール３０の表面３１が二重底部２０側を向くようにする。そして、靴下１を裏返し、二重底部２０を靴下１の内部に収める。それにより、図６に示すように、靴下１にインソール３０が装着される。
【００３２】
以上説明したように、本実施形態によれば、靴下１を着用した状態では開口部２２が靴下１の内側に配置されるので、収納部２３に収納された機能部材が靴下１から脱落するおそれはない。また、靴下１の着用中、開口部２２や収納部２３に収納された機能部材が外から見えてしまうこともない。これにより、開口部２２の幅を広く設けることができるので、機能部材の収納部２３への出し入れを容易に行うことができる。また、開口部２２は開放されたままであるので、開口部２２から機能部材を自在に出し入れすることができる。従って、機能部材を随時取り出して靴下１を洗濯するなど、こまめに手入れすることも可能となる。
【００３３】
また、本実施形態によれば、二重底部２０は周縁部２１において足底部１１と一体化されているので、着用者の足裏に、ポケットの開口端の段差や、開口部を閉じるためのファスナーや、縫製部などが当接することがない。従って、足裏が敏感な着用者であっても違和感なく靴下１を着用することができる。さらに、ホールガーメント（登録商標）製法を用いる場合には、二重底部２０の周縁部２１に縫製部が形成されないので、着用者は、足裏の側方においても縫製によるごわつき感や異物感を感じることがない。
【００３４】
また、本実施形態によれば、靴下１を中表にした状態で機能部材を装着するので、装着作業を簡単に行うことができる。また、二重底部２０にマーク２４を設けることにより、着用者は、機能部材を挿入する向きを容易に把握することができる。
【符号の説明】
【００３５】
１  靴下
１ａ  母趾（第一趾）側
１ｂ  小趾（第五趾）側
１０  靴下本体部
１１  足底部
１２  甲部
１３  レッグ部
１４  踵上部
１５  踵領域
１６  つま先領域
２０  二重底部
２１  周縁部
２２  開口部
２３  収納部
２４  マーク
３０  インソール
３１  表面
【図１】
2018044267.tif 000003
【図２】
2018044267.tif 000004
【図３】
2018044267.tif 000005
【図４】
2018044267.tif 000006
【図５】
2018044267.tif 000007
【図６】
2018044267.tif 000008